(57)【要約】  サーマルチャックは、ワークピースをクランプ表面上に選択的に保持する。上記サーマルチャックは、上記クランプ表面と上記ワークピースとを選択的に加熱するための１つ以上のヒータを有する。サーマルモニタリングデバイスは、上記ワークピースが上記クランプ表面上に存在している場合に上記ワークピースの表面の温度を決定し、１つ以上の測定温度を規定する。コントローラは、上記１つ以上の測定温度に基づいて、上記１つ以上のヒータを選択的に通電する。上記サーマルモニタリングデバイスは、（ｉ）上記ワークピースの上記表面と選択的に接触しているサーモカップルまたはＲＴＤ、および、（ｉｉ）上記表面と接触していない放射率センサまたはパイロメータ、のうちの１つ以上であってよい。上記サーマルチャックは、上記ワークピースにイオンを注入するように構成されたイオン注入システムの一部であってよい。上記コントローラは、上記測定温度に基づいて上記ヒータを制御するようにさらに構成されてよい。
2021518051.tif 000002
【特許請求の範囲】
【請求項１】
サーマルチャックシステムであって、
サーマルチャック装置と、
サーマルモニタリングデバイスと、
コントローラと、を備えており、
上記サーマルチャック装置は、当該サーマルチャック装置のクランプ表面上にワークピースを選択的に保持し、
上記サーマルチャック装置は、上記クランプ表面を選択的に加熱することによって上記ワークピースを選択的に加熱する１つ以上のヒータを含んでおり、
上記サーマルモニタリングデバイスは、上記ワークピースが上記クランプ表面上に存在している場合に上記ワークピースの表面の温度を決定することにより、測定温度を規定し、
上記コントローラは、上記測定温度に基づいて、上記１つ以上のヒータを選択的に通電する、サーマルチャックシステム。
【請求項２】
上記サーマルモニタリングデバイスは、上記ワークピースの表面に直接的に接触する１つ以上の直接接触サーマルデバイスを含んでいる、請求項１に記載のサーマルチャックシステム。
【請求項３】
上記１つ以上の直接接触サーマルデバイスは、サーモカップル（ＴＣ）および抵抗温度検出器（ＲＴＤ）のうちの１つ以上を含んでいる、請求項２に記載のサーマルチャックシステム。
【請求項４】
上記１つ以上の直接接触サーマルデバイスのそれぞれは、冗長サーマルデバイスのそれぞれのペアを含んでいる、請求項２に記載のサーマルチャックシステム。
【請求項５】
冗長サーマルデバイスのそれぞれのペアは、
上記ワークピースの上記表面の１次温度を測定する１次サーマルデバイスと、
上記ワークピースの上記表面の２次温度を測定する２次サーマルデバイスと、を含んでおり、
上記コントローラは、１次温度と２次温度との比較に基づいて、上記測定温度の精度を決定し、
上記コントローラは、上記測定温度の上記精度が所定の閾値を超えた場合に、信号を供給する、請求項４に記載のサーマルチャックシステム。
【請求項６】
冗長サーマルデバイスのそれぞれのペアは、上記ワークピースの上記表面を横切るそれぞれの位置において、上記ワークピースの上記表面の上記温度を決定する、請求項４に記載のサーマルチャックシステム。
【請求項７】
上記１つ以上の直接接触サーマルデバイスは、上記ワークピースの上記表面を横切る１つ以上のそれぞれの位置において、上記ワークピースの上記表面に直接的に接触する、請求項２に記載のサーマルチャックシステム。
【請求項８】
上記ワークピースの上記表面を横切る上記１つ以上のそれぞれの位置は、（ｉ）上記ワークピースの中央領域と、（ｉｉ）上記ワークピースの周辺領域と、を少なくとも含んでいる、請求項７に記載のサーマルチャックシステム。
【請求項９】
上記ワークピースの上記表面を横切る上記１つ以上の位置は、上記ワークピースの上記表面を横切る、円周方向に離間した複数の位置を含んでいる、請求項８に記載のサーマルチャックシステム。
【請求項１０】
上記ワークピースの上記表面は、上記サーマルチャック装置に対向する、上記ワークピースの背面を含んでいる、請求項２に記載のサーマルチャックシステム。
【請求項１１】
上記サーマルモニタリングデバイスは、上記ワークピースの上記表面に接触することなく上記ワークピースの上記表面の上記温度を決定する１つ以上の非接触サーマルデバイスを含んでいる、請求項１に記載のサーマルチャックシステム。
【請求項１２】
上記１つ以上の非接触サーマルデバイスは、放射率検出器およびパイロメータのうちの１つ以上を含んでいる、請求項１１に記載のサーマルチャックシステム。
【請求項１３】
上記コントローラによって上記１つ以上のヒータを選択的に通電することにより、上記測定温度に基づいて、上記１つ以上のヒータの熱出力を選択的に制御する、請求項１に記載のサーマルチャックシステム。
【請求項１４】
上記ワークピースにイオンを注入することにより、上記ワークピースに熱を選択的に入力し、上記イオンが注入された位置における上記ワークピースの上記表面の上記温度を上昇させるイオン注入装置をさらに備えており、
上記１つ以上のヒータのそれぞれのうちの１つ以上は、上記位置に関連付けられており、
上記サーマルモニタリングデバイスは、上記位置に近接している上記ワークピースの上記表面の上記温度を監視し、
上記コントローラは、上記位置における上記ワークピースの上記表面の上記温度に基づいて、上記１つ以上のヒータのそれぞれのうちの１つ以上の出力を選択的に制御する、請求項１に記載のサーマルチャックシステム。
【請求項１５】
上記１つ以上のヒータは、上記サーマルチャック装置内に埋め込まれている、請求項１に記載のサーマルチャックシステム。
【請求項１６】
上記１つ以上のヒータはそれぞれ、抵抗ヒータおよび放射ヒータのうちの一方を含んでいる、請求項１に記載のサーマルチャックシステム。
【請求項１７】
熱処理システムであって、
ワークピースを支持するクランプ表面を有するサーマルチャックと、
上記クランプ表面上に存在している上記ワークピースを選択的に加熱する１つ以上のヒータと、
上記ワークピースが上記クランプ表面上に存在している場合に上記ワークピースの温度を決定することにより、測定温度を規定するサーマルモニタリングデバイスと、
上記測定温度に基づいて、上記１つ以上のヒータを選択的に通電するコントローラと、を備えている、熱処理システム。
【請求項１８】
上記サーマルモニタリングデバイスは、上記ワークピースの表面に直接的に接触する１つ以上の直接接触サーマルデバイスを含んでいる、請求項１７に記載の熱処理システム。
【請求項１９】
上記１つ以上の直接接触サーマルデバイスは、サーモカップル（ＴＣ）および抵抗温度検出器（ＲＴＤ）のうちの１つ以上を含んでいる、請求項１８に記載の熱処理システム。
【請求項２０】
上記サーマルモニタリングデバイスは、上記ワークピースの表面に接触することなく上記ワークピースの上記表面の上記温度を決定する１つ以上の非接触サーマルデバイスを含んでいる、請求項１７に記載の熱処理システム。
【請求項２１】
上記１つ以上の非接触サーマルデバイスは、放射率検出器およびパイロメータのうちの１つ以上を含んでいる、請求項２０に記載の熱処理システム。
【請求項２２】
上記ワークピースを１つ以上の方向に選択的に移送するワークピース移送装置をさらに備えており、
上記コントローラは、上記ワークピース移送装置を制御することにより、上記ワークピースを１つ以上の温度測定位置へと移送し、
上記１つ以上の非接触サーマルデバイスは、上記ワークピースが上記１つ以上の測定位置に存在している場合に、上記ワークピースの上記表面の上記温度を決定する、請求項２０に記載の熱処理システム。
【請求項２３】
上記ワークピースにイオンを選択的に注入するイオン注入装置をさらに備えている、請求項１７に記載の熱処理システム。
【請求項２４】
上記サーマルチャックは、静電チャックおよび機械的クランププレートのうちの一方を含んでいる、請求項１７に記載の熱処理システム。
【請求項２５】
サーマルモニタリングシステムであって、
ワークピースを支持するクランプ表面を有するサーマルチャックと、
１つ以上の直接接触サーマルデバイスと、
上記ワークピースを選択的に加熱する１つ以上のヒータと、
コントローラと、を備えており、
上記１つ以上の直接接触サーマルデバイスは、上記ワークピースが上記サーマルチャックの上記クランプ表面上に存在している場合に、上記ワークピースの背面に直接的に接触し、
上記１つ以上の直接接触サーマルデバイスは、上記ワークピースの温度を測定することにより、１つ以上の測定温度を規定し、
上記コントローラは、上記１つ以上の測定温度に基づいて、上記１つ以上のヒータを選択的に通電する、サーマルモニタリングシステム。
【発明の詳細な説明】
【発明の詳細な説明】
【０００１】
［関連出願の参照］
本願は、「IN-SITU WAFER TEMPERATURE MEASUREMENT AND CONTROL」というタイトルが付された２０１８年３月３０日に出願された米国仮出願Ｎｏ．６２／６５０，８３２の利益を主張する米国非仮出願である。当該米国仮出願の全ての内容は、参照により本明細書に組み込まれる。
【０００２】
［分野］
本開示は概して、ワークピースを処理するためのワークピース処理システムおよびワークピース処理方法に関する。より具体的には、本開示は、イオン注入システムにおけるサーマルチャック上のワークピースの温度を精密かつ正確に制御するためのシステムおよび方法に関する。
【０００３】
［背景］
半導体処理では、多くの操作（例：イオン注入）がワークピースまたは半導体ウェハ上において実行されうる。イオン注入処理技術の進歩により、ワークピースにおける様々な注入特性を実現するために、ワークピースにおいて様々なイオン注入温度が採用されうる。例えば従来のイオン注入処理では、典型的には、（ｉ）コールド注入（低温注入）、（ｉｉ）ホット注入（高温注入）、および、（ｉｉｉ）いわゆる準室温注入（quasi-temperature implants）という、３つの温度レジームが考慮されている。コールド注入では、ワークピースにおけるプロセス温度は、室温よりも低い温度に維持される。ホット注入では、ワークピースにおけるプロセス温度は、典型的には１００〜６００℃の範囲の高温に維持される。準室温注入では、ワークピースにおけるプロセス温度は、室温よりもわずかに高いが、高温注入において使用される温度よりも低い温度（典型的には、５０〜１００℃の範囲の準室温注入温度）に維持される。
【０００４】
例えば、ホット注入は、より一般的となりつつある。ホット注入では、典型的には、プロセス温度は、加熱チャック（heated chuck）とも称される専用の高温の静電チャック（electrostatic chuck）（ＥＳＣ）によって実現される。注入時には、加熱チャックは、当該加熱チャックの表面にワークピースを保持（ホールド）またはクランプする。従来の高温ＥＳＣは、例えば、ＥＳＣおよびワークピースをプロセス温度（例：１００℃〜６００℃）まで加熱するために、クランプ表面の下に埋め込まれたヒータのセットを有している。これにより、従来通り、ガスインターフェース（ガス界面）は、クランプ表面からワークピースの背面（裏面）までの熱インターフェース（熱界面）をもたらす。典型的には、高温ＥＳＣは、バックグラウンドにおけるチャンバ表面へのエネルギーの放射によって冷却される。
【０００５】
また、チルドイオン注入プロセス（冷却イオン注入プロセス）も一般的である。従来、チルドイオン注入プロセスでは、室温のワークピースがチルドチャック（冷却チャック）上に配置される。そして、チルドチャックがチルド温度（例：室温以下の温度）まで冷却されることにより、ワークピースが冷却される。チルドチャックを冷却することにより、イオン注入に起因してワークピースに付与された熱エネルギーが除去される。そして、チルドチャックを通過する熱を除去することによって、注入時にチャックおよびワークピースをチルド温度にさらに維持することができる。
【０００６】
また、イオン注入プロセスは、いわゆる「準室温」（例：５０〜６０℃，室温よりもわずかに高いが、ホットイオン注入プロセスにおける温度ほどは高くない温度）においても実行される。この場合、低熱チャック（low-heat chuck）（例：１００℃よりも低い温度まで加熱するチャック）が、注入時におけるワークピースの温度を制御するために使用されてきた。
【０００７】
［概要］
以下では、本開示の一部の態様についての基本的な理解を提供するために、本開示の簡略化された概要を提示する。本概要は、本開示の広範な概要ではない。本概要は、本発明のキーポイント（key）または重要な要素を特定することも、本発明の範囲を規定することも意図していない。本概要の目的は、後に提示されるより詳細な説明の序文（前置き）として、本開示の一部のコンセプトを簡略化された形式によって提示することである。
【０００８】
本開示の様々な例示的な態様は、ワークピースにイオンを注入するためのイオン注入プロセスを助成する。ある例示的な態様によれば、イオン注入システムが提供される。上記イオン注入システムは、イオンビームを形成するように構成されたイオン源と、上記イオンビームを選択的に輸送するように構成されたビームラインアセンブリと、ワークピースにアルミニウムイオンを注入するための上記イオンビームを受け入れるように構成されたエンドステーションと、を有する。
【０００９】
ある例示的な態様によれば、サーマルチャックシステム（熱チャックシステム）が提供される。上記サーマルチャックシステムは、サーマルチャック装置（熱チャック装置）を含んでいる。上記サーマルチャック装置は、当該サーマルチャック装置のクランプ表面上にワークピースを選択的に保持するように構成されている。上記サーマルチャック装置は、１つ以上のヒータを含んでいる。上記１つ以上のヒータは、上記クランプ表面を選択的に加熱することによって、上記ワークピースを選択的に加熱するように構成されている。さらに、サーマルモニタリングデバイス（熱監視デバイス）は、上記ワークピースが上記クランプ表面上に存在している場合に上記ワークピースの表面の温度を決定する（determine）ことにより、測定温度（測定された温度）（measured temperature）を規定する（define）ように構成されている。
【００１０】
一例として、上記ワークピースの上記表面は、上記サーマルチャック装置に対向する、上記ワークピースの背面（backside surface）を含んでいる。上記コントローラは、上記測定温度に基づいて、上記１つ以上のヒータを選択的に通電する（活動させる，動作させる）（energize）。例えば、上記コントローラによって上記１つ以上のヒータを選択的に通電することにより、上記測定温度に基づいて、上記１つ以上のヒータの熱出力を選択的に制御することができる。
【００１１】
一例によれば、上記サーマルモニタリングデバイスは、上記ワークピースの表面に直接的に接触するように構成された、１つ以上の直接接触サーマルデバイス（ダイレイトコンタクトサーマルデバイス）を含んでいる。１つ以上の直接接触サーマルデバイスは、例えば、サーモカップル（熱電対）（ＴＣ）および抵抗温度検出器（測温抵抗体）（ＲＴＤ）のうちの１つ以上である。一例として、上記１つ以上の直接接触サーマルデバイスのそれぞれは、冗長サーマルデバイス（余剰サーマルデバイス）（redundant thermal device）のそれぞれのペアを含んでいてもよい。別の例として、冗長サーマルデバイスのそれぞれのペアは、（ｉ）上記ワークピースの上記表面の１次温度（primary temperature）を測定するように構成された１次サーマルデバイス（primary thermal device）と、（ｉｉ）上記ワークピースの上記表面の２次温度（secondary temperature）を測定するように構成された２次サーマルデバイス（secondary thermal device）と、を含んでいる。
【００１２】
例えば、上記コントローラは、１次温度と２次温度との比較に基づいて、上記測定温度の精度を決定（判定）するように、さらに構成されていてもよい。上記コントローラは、上記測定温度の上記精度が所定の閾値を超えた場合に、信号を供給するように、さらに構成されている。冗長サーマルデバイスのそれぞれのペアは、上記ワークピースの上記表面を横切るそれぞれの位置において、上記ワークピースの上記表面の上記温度を決定するように、さらに構成されている。
【００１３】
別の例では、上記１つ以上の直接接触サーマルデバイスは、上記ワークピースの上記表面を横切る１つ以上のそれぞれの位置において、上記ワークピースの上記表面に直接的に接触するように構成されている。上記ワークピースの上記表面を横切る上記１つ以上のそれぞれの位置は、（ｉ）上記ワークピースの中央領域と、（ｉｉ）上記ワークピースの周辺領域と、を少なくとも含んでいる。あるいは、上記ワークピースの上記表面を横切る上記１つ以上の位置は、上記ワークピースの上記表面を横切る、円周方向に離間した（circumferentially-spaced）複数の位置を含んでいる。
【００１４】
別の例によれば、上記サーマルモニタリングデバイスは、１つ以上の非接触サーマルデバイス（ノンコンタクトサーマルデバイス）を含んでいる。上記１つ以上の非接触サーマルデバイスは、上記ワークピースの上記表面に接触することなく、上記ワークピースの上記表面の上記温度を決定するように構成されている。例えば、上記１つ以上の非接触サーマルデバイスは、放射率検出器（emissivity detector）およびパイロメータ（高温計，放射温度計）のうちの１つ以上を含んでいてもよい。
【００１５】
さらに、別の例示的な態様によれば、イオン注入装置は、上記ワークピースにイオンを注入することにより、上記ワークピースに熱を選択的に入力し、上記イオンが注入された位置における上記ワークピースの上記表面の上記温度を上昇させるように構成されている。
【００１６】
上記１つ以上のヒータのそれぞれのうちの１つ以上は、上記位置に関連付けられている。上記サーマルモニタリングデバイスは、上記位置に近接している上記ワークピースの上記表面の上記温度を監視するように、さらに構成されている。上記コントローラは、上記位置における上記ワークピースの上記表面の上記温度に基づいて、上記１つ以上のヒータのそれぞれのうちの１つ以上の出力を選択的に制御するように、さらに構成されている。
【００１７】
上述の概要は単に、本開示の一部の実施形態における一部の構成についての簡単な概要を与えることを意図している。他の実施形態は、上述の構成に対し、付加的な構成および／または異なる構成を含んでいてもよい。特に、本概要は、本出願の範囲を限定（制限）していると解釈されるべきではない。従って、上述の目的および関連する目的を達成するために、本開示は、以下に説明され、特に特許請求の範囲において挙示される構成を備える。以下の説明および添付の図面は、本開示の特定の例示的な実施形態を詳細に説明する。但し、これらの実施形態は、本開示の原則（原理）が採用されうる様々な方法のうちの一部を示している。本開示の他の目的、利点、および新規な構成は、以下の本開示の詳細な説明を図面と併せて考慮することによって明らかになるであろう。
【００１８】
［図面の簡単な説明］
図１は、本開示の一態様に係る例示的な加熱イオン注入システムのブロック図を示す。
【００１９】
図２は、本開示の一態様に係るサーマルチャックのクランプ表面の頂部の斜視図である。
【００２０】
図３は、本開示の一態様に係るサーマルチャックの底部の斜視図である。
【００２１】
図４は、本開示の一態様に係るサーマルチャックの部分断面図である。
【００２２】
図５は、本開示の別の態様に係る別のサーマルチャックの部分断面図である。
【００２３】
図６は、本開示の別の態様に係るワークピースの温度制御のための例示的な方法を示すブロック図である。
【００２４】
図７は、別の態様に係る例示的な制御システムを示すブロック図である。
【００２５】
［詳細な説明］
本発明は概して、ワークピース処理システムおよびワークピース処理装置を対象としている。より詳細には、本発明は、ワークピースの温度を制御するように構成された、イオン注入システム内のサーマルチャック（熱チャック）を対象としている。そこで、以下では、図面を参照して本発明を説明する。同様の参照番号は、全体を通して同様の要素（部材）を指すために使用されてもよい。これらの態様の説明は、単に例示的なものであり、限定的な意味合いで解釈されるべきではないことを理解されたい。以下の記載では、説明のために、本発明についての完全な理解を提供すべく、様々な特定の詳細が示されている。但し、当業者であれば、これらの特定の詳細がなくとも本発明を実施できることは明らかであろう。
【００２６】
半導体ウェハの処理では、温度の精度（精密性）および制御がますます重要となっている。ワークピースが載置されているサポート（支持体）の温度（例えば、静電チャックの温度）を測定および制御するためのシステムが提供されている。サポートの温度の特性評価（characterization）および分析は、ワークピースの温度を間接的に評価（推定）するために利用される。しかしながら、本開示では、ワークピースサポートの温度に対するこのような依存性は、ワークピースの処理時に温度エラー（温度誤差）をもたらしうると、現時点では考えている。
【００２７】
加熱イオン注入プロセスでは、１００℃〜６００℃またはそれ以上の範囲のプロセス温度まで、ワークピースが加熱されうる。例えば、プロセス温度は、注入時にワークピースを支持する静電チャックにおいて部分的に達成され、かつ維持される。本開示の様々な態様に基づき、図１は、例示的なイオン注入システム１００を示す。本例におけるイオン注入システム１００は、例示的なイオン注入装置１０１を備えている。但し、様々な他のタイプの真空ベースの半導体処理システム（例：プラズマ処理システムまたは他の半導体処理システム）についても、考慮されている。イオン注入装置１０１は、例えば、ターミナル１０２と、ビームラインアセンブリ１０４と、エンドステーション１０６とを備えている。
【００２８】
一般的に、ターミナル１０２内のイオン源（イオンソース）１０８は、ドーパントガスを複数のイオンにイオン化し、イオンビーム１１２を形成するために、電源１１０に接続されている。本例におけるイオンビーム１１２は、質量分析装置１１４を通って、開口１１６から出て、かつ、エンドステーション１０６に向かうように、方向付けられている（導かれる）。エンドステーション１０６において、イオンビーム１１２は、ワークピース１１８（例：シリコンウェハなどの基板、表示パネル等）に衝突する。当該ワークピースは、チャック１２０に選択的にクランプされている。あるいは、当該ワークピースは、チャック１２０に選択的に取り付けられている。チャック１２０は、例えば、静電チャック（ＥＳＣ）または機械的クランプチャック（メカニカルクランプチャック）を含みうる。当該チャックは、ワークピース１１８の温度を選択的に制御するように構成されている。注入されたイオンがワークピース１１８の格子内に埋め込まれると、当該イオンはワークピースの物理的特性および／または化学的特性を変化させる。このため、イオン注入は、半導体デバイスの製造および金属の仕上げ加工、さらには材料科学研究における様々な応用（アプリケーション）に用いられている。
【００２９】
本開示のイオンビーム１１２は、任意の形状（例：ペンシルまたはスポットビーム、リボンビーム、走査ビーム、またはイオンがエンドステーション１０６へと向けて導かれる任意の他の形態）を取りうる。これらの形態は全て、本開示の範囲内に含まれると考慮されている。
【００３０】
例示的な一態様によれば、エンドステーション１０６は、プロセスチャンバ１２２（例：真空チャンバ１２４）を備える。プロセス環境１２６は、処理チャンバに関連付けられている。一般的に、プロセス環境１２６は、処理チャンバ１２２内に存在する。一例では、プロセス環境１２６は、プロセスチャンバに接続されており、かつ、当該プロセスチャンバを実質的に（ほぼ）排気するように構成された真空源１２８（例：真空ポンプ）によって生じた真空を含んでいる。
【００３１】
一例では、イオン注入装置１０１は、高温イオン注入をなすように構成されている。ワークピース１１８は、プロセス温度（例：約１００〜６００℃またはそれ以上）まで加熱される。従って、本例では、チャック１２０は、サーマルチャック１３０を含んでいる。当該サーマルチャックは、イオンビーム１１２への暴露前、暴露中、および／または暴露後に、ワークピース１１８を支持および保持しつつ、プロセスチャンバ１２２内において当該ワークピース１１８をさらに加熱するように構成されている。
【００３２】
サーマルチャック１３０は、例えば静電チャックを含んでいる。当該静電チャックは、周囲または外部環境１３２（例えば、「大気環境」とも称される）の周囲温度または大気温度よりもかなり大きい処理温度まで、ワークピース１１８を加熱するように構成されている。加熱システム（ヒーティングシステム）１３４が、さらに設けられてもよい。当該加熱システムは、（ｉ）サーマルチャック１３０を加熱し、次いで、（ｉｉ）当該サーマルチャック上に存在しているワークピース１１８を所望の処理温度まで加熱するように構成されている。例えば、加熱システム１３４は、サーマルチャック１３０内に配置された１つ以上のヒータ１３６を用いて、ワークピース１１８を選択的に加熱するように構成されている。１つ以上のヒータ１３６は、例えば、１つ以上の抵抗加熱素子を含んでいてもよい。一代替例として、加熱システム１３４は、放射熱源を含んでいる。この場合、１つ以上のヒータ１３６は、ワークピース１１８を選択的に加熱するように構成された、１つ以上のハロゲンランプ、発光ダイオード、および赤外線サーマルデバイスを含んでいる。
【００３３】
一部の高温注入では、所望の温度に達するまで、ワークピース１１８は、プロセス環境１２６の真空内において、サーマルチャック１３０上において「ソーク（浸漬）」されてよい。あるいは、イオン注入システム１００のサイクル時間を増加させるために、ワークピースは、プロセスチャンバ１２２に動作可能に連結された１つ以上のチャンバ１３８Ａ、１３８Ｂ（例：１つ以上のロードロックチャンバ）内において、予熱装置１４０によって予熱されてもよい。予熱装置１４０は、例えば、サーマルチャック１３０と同様に構成された予熱サポート１４２を含んでいてもよい。
【００３４】
ツールアーキテクチャ、プロセス、および所望のスループットに応じて、ワークピース１１８は、予熱装置１４０によって第１温度まで予熱されてよい。当該第１温度は、プロセス温度以下である。この場合、第１温度によって、真空チャンバ１２４内のサーマルチャック１３０上において、最終的な熱均一化が可能となる。このようなシナリオにより、プロセスチャンバ１２２への移送中に、ワークピース１１８から一部の熱を失わせることができる。この場合、プロセス温度への最終加熱（最終的な加熱）は、サーマルチャック１３０上において行われる。あるいは、ワークピース１１８は、予熱装置１４０によって、プロセス温度よりも高い第１温度まで予熱されてもよい。この場合、ワークピースがサーマルチャック１３０にクランプされるときに所望のプロセス温度に達するために、プロセスチャンバ１２２への搬送中におけるワークピース１１８の冷却がちょうど十分であるように、第１温度が最適化されるであろう。
【００３５】
熱応答を正確に制御および／または加速させ、かつ、熱輸送のための付加的なメカニズム（機構）を実現するために、ワークピース１１８の背面は、サーマルチャック１３０と伝導性連結（conductive communication）させられている。この伝導性連結は、例えば、サーマルチャック１３０とワークピース１１８との間の圧力制御されたガスインターフェース（「バックサイドガス（背面ガス）」とも称される）によって実現される。例えば、背面ガスの圧力は、サーマルチャック１３０の静電力によって概ね制限される。当該圧力は、５〜２０Ｔｏｒｒの範囲に概ね維持されうる。一例として、背面ガスインターフェース厚さ（例：ワークピース１１８とサーマルチャック１３０との間の距離）は、ミクロンのオーダ（典型的には、５〜２０μｍ）に制御される。この場合、この圧力レジームにおける分子平均自由行程は、インターフェース厚さが遷移分子ガスレジーム（transitional and molecular gas regime）内にシステムを押し込むために十分なほど大きくなる。
【００３６】
本開示の別の態様によれば、チャンバ１３８Ｂは、冷却装置１４４を備える。冷却装置１４４は、イオン注入期間においてイオンがワークピース１１８に注入された後に、当該ワークピースがチャンバ１３８Ｂ内に配置された場合に、当該ワークピースを冷却するように構成されている。冷却装置１４４は、例えば、チルドワークピースサポート１４６を含んでいてもよい。チルドワークピースサポートは、当該チルドワークピースサポート上に存在するワークピース１１８を、熱伝導によって能動的に冷却するように構成されている。チルドワークピースサポート１４６は、例えば、コールドプレート（低温プレート，冷却プレート）を備える。コールドプレートは、当該コールドプレートを通過する１つ以上の冷却チャネル（冷却経路）を有する。冷却チャネルを通過する冷却流体は、コールドプレートの表面上に存在しているワークピース１１８を実質的に冷却する。チルドワークピースサポート１４６は、他の冷却機構（例：ペルチェクーラー（ペルチェ冷却器）または当業者に知られている別の冷却機構）を含んでいてもよい。
【００３７】
別の例示的な態様によれば、コントローラ１４８がさらに設けられている。コントローラ１４８は、加熱システム１３４、予熱装置１４０、および冷却装置のうちの１つ以上を選択的に通電し、それぞれの位置に存在するワークピース１１８を選択的に加熱または冷却するように構成されている。例えば、コントローラ１４８は、（ｉ）予熱装置１４０によってチャンバ１３８Ａ内においてワークピース１１８を加熱し、（ｉｉ）サーマルチャック１３０および加熱システム１３４によって、プロセスチャンバ１２２内においてワークピースを所定の温度まで加熱し、（ｉｉｉ）イオン注入装置１０１によってワークピースにイオンを注入し、（ｉｖ）冷却装置１４４によってチャンバ１３８Ｂ内においてワークピースを冷却し、かつ、（ｖ）１つ以上のワークピース移送装置１５０Ａ、１５０Ｂによって、ワークピースを外部環境１３２とプロセス環境１２６との間を選択的に移送するように、構成されていてもよい。
【００３８】
一例として、（ｉ）ワークピース移送装置１５０Ｂによって、選択されたフロント開口統一ポッド（front opening unified pod）（ＦＯＵＰ）１５２Ａ、１５２Ｂとチャンバ１３８Ａ、１３８Ｂとの間においてワークピースが移送させられ、さらに、（ｉｉ）ワークピース移送装置１５０Ａによって、チャンバ１３８Ａ、１３８Ｂとサーマルチャック１３０との間においてワークピースが移送させられるように、ワークピース１１８がプロセスチャンバ１２２の内外へとさらに移送させられてもよい。例えば、コントローラ１４８は、ワークピース移送装置１５０Ａ、１５０Ｂを制御することにより、ＦＯＵＰ１５２Ａ、１５２Ｂとチャンバ１３８Ａ、１３８Ｂとサーマルチャック１３０との間において、ワークピースを選択的に移送するように、さらに構成されている。
【００３９】
例えば、本開示の図１のシステム１００は、さらに有利には、同じサーマルチャック１３０を利用しつつ、高温注入（例：１００〜６００℃の範囲）および準室温注入（例：２０〜１００℃の範囲）の両方を実行するように、構成されていてもよい。このような構成は、単純性および生産性の両方において、従来のシステムよりも有利である。図１のシステム１００は、従来のイオン注入システムの従来のスタートアップ操作（始動操作）において共通的に認識されている様々な欠陥を軽減しつつ、最小限の構成の変更によって、様々な注入スキームにおいて利用可能であるためである。
【００４０】
図２には、例示的なサーマルチャック１３０が示されている。当該サーマルチャックは、例えば、主に２つの役割（機能）を果たす。すなわち、当該サーマルチャックは、（ｉ）図１のワークピース１１８を当該サーマルチャックに選択的にクランプする役割、および、（ｉｉ）ワークピースを加熱および／または冷却する役割を果たす。図２に示される１つ以上の接地ピン（グラウンドピン）１５４は、例えば、ワークピースの電気的接地のために設けられている。複数のメサ１５６は、図１のワークピース１１８との接触を最小限に抑え、かつ、粒子汚染を緩和するために、サーマルチャック１３０のクランプ表面１５８上に設けられている。
【００４１】
本開示の１つの例示的な態様によれば、１つ以上のサーマルモニタリングデバイス１６０Ａ〜１６０Ｃがさらに設けられている。以下により詳細に説明する通り、サーマルモニタリングデバイス１６０Ａ〜１６０Ｃは、例えば、ワークピースが図２のクランプ表面１５８上に存在している場合に、図１のワークピース１１８の温度を決定することにより、測定温度を規定するように構成されている。３つのサーマルモニタリングデバイス１６０が例示されているが、任意の数のサーマルモニタリングデバイスおよびその構成が、本開示の範囲内に含まれていると考慮されていることに留意されたい。
【００４２】
図３は、例えば、サーマルチャック１３０（例：ＥＳＣ）の背面１６２を示す。図３の例では、複数のインターフェース１６４Ａ〜１６４Ｃ（例：機械的インターフェースおよび／または電気的インターフェース）が、当該サーマルチャックのために設けられている。例えば、第１インターフェース１６４Ａは、高電圧静電電極（不図示）のために設けられている。当該高電圧静電電極は、ワークピースをサーマルチャック１３０に静電的に吸着する（attract）ように構成されている。第２インターフェース１６４Ｂは、１つ以上のヒータ１６６Ａ、１６６Ｂに電力を供給するために設けられている。図１のコントローラ１４８は、図２の１つ以上のサーマルモニタリングデバイス１６０Ａ〜１６０Ｃから取得した測定温度に基づいて、図３の１つ以上のヒータを選択的に通電するように、さらに構成されている。本例では、図３の１つ以上のヒータ１３６は、マルチゾーンヒータ（例えば、抵抗加熱素子１６６Ａ、１６６Ｂとして図示されている）を含んでいる。当該マルチゾーンヒータは、サーマルチャック１３０内に埋め込まれている。当該マルチゾーンヒータは、１つ以上のヒータにそれぞれ関連する１つ以上の位置１６８Ａ、１６８Ｂを選択的に加熱するように構成されている。コントローラ１４８は、例えば、１つ以上のサーマルモニタリングデバイス１６０のそれぞれから取得した測定温度に基づいて、１つ以上のヒータの熱出力を選択的に制御するように、１つ以上のヒータ１３６を選択的に通電するように構成されている。
【００４３】
一例として、図１のイオン注入装置１０１によるワークピース１１８へのイオンの注入は、当該ワークピースに選択的に熱を入力する。その結果、イオンが注入される位置（例：ワークピースに衝突するイオンビーム１１２の位置）に近接している位置において、ワークピースの表面の温度が上昇する。例えば、図３の１つ以上のヒータ１３６のそれぞれのうちの１つ以上は、上記位置に関連付けられている。この場合、後述するように、サーマルモニタリングデバイス１６０は、上記位置に近接しているワークピース１１８の表面の温度を監視するように、さらに構成されている。従って、図１のコントローラ１４８は、上記位置におけるワークピース１１８の表面の温度に基づいて、１つ以上のヒータ１６６のそれぞれの出力を選択的に制御するように、さらに構成されている。
【００４４】
図３の概略図には明示的に示されていないが、例えば、１つ以上のヒータ１３６は、サーマルチャックの１つ以上の位置１６８Ａ、１６８Ｂ（例：サーマルチャックの中心領域および周辺領域のうちの１つ以上）を加熱するために、サーマルチャック１３０内に配置されてもよい。また、１つ以上のヒータ１３６は、ワークピースの所望の加熱のために、軸方向および／または半径方向に配置されてもよい。例えば、第３インターフェース１６４Ｃは、精密かつ正確な温度制御を目的として、図２のサーマルチャック１３０に関連付けられた１つ以上のサーマルモニタリングデバイス１６０Ａ〜１６０Ｃから、図１のコントローラ１４８への温度フィードバックを行うために、さらに設けられている。
【００４５】
本開示の別の例示的な態様に基づき、図４は、サーマルチャック１３０の部分（一部）２００を例示する。例えば、キャリアプレート２０２が図示されている。当該キャリアプレートによって、ワークピース１１８は、サーマルチャック１３０のクランプ表面１５８に選択的にクランプされる。一例として、キャリアプレート２０２は、１つ以上の高電圧電極２０４を有するセラミック材料によって構成されている。高電圧電極２０４は、キャリアプレート２０２内に埋め込まれている。あるいは、高電圧電極２０４は、キャリアプレート２０２に関連付けられている。１つ以上の高電圧電極２０４は、ワークピース１１８をサーマルチャック１３０に静電的に吸着するように構成されている。これにより、静電チャック（ＥＳＣ）が概ね規定される。代替的または付加的に、サーマルチャック１３０は、１つ以上の機械的クランプ部材２０５を有していてもよい。機械的クランプ部材２０５は、ワークピース１１８をキャリアプレート２０２に選択的に機械的にクランプするように構成されている。この場合、サーマルチャックは、機械的チャックを概ね規定する。
【００４６】
例えば、キャリアプレート２０２は、１つ以上のヒータ１３６（例：１つ以上の抵抗加熱素子１６６Ａ、１６６Ｂ）を有するヒータプレート２０６と接合または一体化されていてもよい。１つ以上のヒータ１３６は、ヒータプレート２０６に関連付けられている。例えば、ヒータプレート２０６は、セラミック材料によって構成されていてもよい。この場合、１つ以上のヒータ１３６は、ヒータプレート内に埋め込まれている。ヒータプレート２０６およびキャリアプレート２０２は、別々のプレートであってもよいし、あるいは１つのプレートに一体化（統合）されてもよいことに留意されたい。例えば、１つ以上のヒータ１３６は、注入プロセス中に、図１のワークピース１１８の温度を能動的に上昇させる（heat）または維持するように、構成されてよい。例えば、図４の１つ以上のヒータ１３６は、必要に応じて、ワークピース温度を２００〜５００℃または様々な他の上昇温度へと上昇させてもよいし、あるいは、当該上昇温度を維持してもよい。１つ以上のヒータ１３６は、任意の数の、（ｉ）抵抗加熱素子１６６Ａ、１６６Ｂ、（ｉｉ）放射ヒータ（不図示）、または、（ｉｉｉ）ワークピース１１８を加熱するように構成された任意の他の加熱装置、を含んでいてもよい。１つ以上のヒータ１３６は、これらの任意の組み合わせを含んでもよい。本例では、熱がキャリアプレート２０２を通ってワークピースへと移動することにより、ワークピース１１８が加熱されうる。
【００４７】
別の例によれば、キャリアプレート２０２のクランプ表面１５８と当該クランプ表面１５８上に存在するワークピース１１８との間の背面ギャップ２０８に、背面ガス（不図示）が設けられている。これにより、ワークピースへと（またはワークピースから）熱を有利に移動させることができる。例えば、１つ以上のヒータ１３６からワークピース１１８へと熱を伝導し、温度を有利に提供または維持するために、背面ガス層２１０が、背面ギャップ２０８（例：約１０ミクロン）内に設けられている。あるいは、別の例では、背面ガス層２１０は、冷却モードにおいて、ワークピース１１８からサーマルチャック１３０へと熱を伝導することができる。
【００４８】
一例として、図２の１つ以上のサーマルモニタリングデバイス１６０Ａ〜１６０Ｃは、図４に示される１つ以上の直接接触サーマルデバイス２１２を含んでいる。当該１つ以上の直接接触サーマルデバイスは、ワークピース１１８の背面２１４に直接的に接触するように構成されている。例えば、図４の１つ以上の直接接触サーマルデバイス２１２は、サーモカップル（ＴＣ）および抵抗温度検出器（ＲＴＤ）のうちの１つ以上を含んでいる。例えば、１つ以上の直接接触サーマルデバイス２１２のそれぞれは、ワークピース１１８の小さい接触領域と接触するために、実質的に平滑な表面を有していてもよい。また、１つ以上の直接接触サーマルデバイス２１２のそれぞれは、ワークピースと実質的に一致するように設定された熱質量（thermal mass）を有していてもよい。これにより、当該直接接触サーマルデバイスと当該ワークピースとの間での放熱（heat sinks）または熱移動を排除できる。
【００４９】
例えば、１つ以上の直接接触サーマルデバイス２１２は、１つ以上のバネ負荷デバイス（不図示）（例：バネ負荷ＴＣ）を含んでいてもよい。１つ以上のバネ負荷デバイスは、ワークピース１１８がサーマルチャック１３０上に配置された場合に、当該ワークピースが当該１つ以上のバネ負荷デバイスに最小限の接触圧力によって圧力を印加するように応答する（compliant）。
【００５０】
一例として、１つ以上の直接接触サーマルデバイス２１２のそれぞれは、冗長サーマルデバイス２１６Ａ、２１６Ｂのペアを含んでいる。冗長サーマルデバイスの各ペアは、（ｉ）ワークピース１１８の背面２１４の１次温度を測定するように構成された１次サーマルデバイス（２１６Ａ）と、（ｉｉ）当該ワークピースの当該背面の２次温度を測定するように構成された２次サーマルデバイス（２１６Ｂ）と、を含んでいる。そこで、図１のコントローラ１４８は、１次温度と２次温度との比較に基づいて、測定温度の精度を決定するように、さらに構成されている。例えば、コントローラ１４８は、測定温度の精度が所定の閾値を超えた場合に、ワークピース１１８に対する処理を停止するように、さらに構成されていてもよい。例えば、図４の冗長サーマルデバイス２１６Ａ、２１６Ｂの各ペアは、ワークピースの背面のそれぞれの位置２１８Ａ、２１８Ｂ（例：サーマルチャック１３０の１つ以上の位置１６８Ａ、１６８Ｂに関連する位置）における、ワークピース１１８の背面２１４の温度を決定するように構成されていてもよい。
【００５１】
別の例として、図５は、サーマルモニタリングデバイス１６０Ｄの一例を示す。サーマルモニタリングデバイス１６０Ｄは、１つ以上の非接触サーマルデバイス２２０を含んでいる。非接触サーマルデバイス２２０は、ワークピースの表面に接触することなく、ワークピース１１８の表面（例：上面２２２）の温度を決定するように構成されている。例えば、１つ以上の非接触サーマルデバイス２２０は、ワークピースに物理的に接触することなくワークピース１１８の温度を決定するように構成された、放射率検出器およびパイロメータのうちの１つ以上を含んでいる。１つ以上の非接触サーマルデバイス２２０は、ワークピース１１８に対する処理を妨げなければ、サーマルチャック１３０の近傍に配置されていてもよい。一例において、ワークピース移送装置２２４は、サーマルチャック１３０（およびワークピース１１８）を１つ以上の方向に選択的に移送するように構成されている。例えば、ワークピース移送装置２２４は、（ｉ）イオン注入のために、図１のイオンビーム１１２を通過するようにワークピース１１８を選択的に移動させるように、および／または、（ｉｉ）ワークピースの温度を決定するために、１つ以上の非接触サーマルデバイス２２０の近傍へとワークピースを移送するように、構成されていてもよい。例えば、ワークピース移送装置２２４は、ワークピース１１８を３次元的に選択的に移動（並進）および／または回転させるように、構成されていてもよい。
【００５２】
例えば、図１のコントローラ１４８は、図５のワークピース移送装置２２４を制御することにより、サーマルチャック１３０およびワークピース１１８を１つ以上の温度測定位置へと移送するように、さらに構成されていてもよい。この場合、１つ以上の非接触サーマルデバイス２２０は、ワークピースが１つ以上の測定位置に存在している場合に、ワークピース１１８の表面の温度を決定するように構成されている。１つ以上の非接触サーマルデバイス２２０は、例えば、空間内に固定されていてもよい。この場合、１つ以上の測定位置は、１つ以上の非接触サーマルデバイスに対するワークピース１１８の１つ以上のそれぞれの位置および／または角度方向（角度方位）を含んでいる。あるいは、図示されていないが、１つ以上の非接触サーマルデバイス２２０は、ワークピース１１８に対する１つ以上の温度測定位置へと移送されてもよい。
【００５３】
本開示の別の態様において、図６は、ワークピースの温度を制御するための方法３００を例示する。例示的な方法は、一連のアクト（行為）またはイベント（事象）として本明細書において例示および記載されている。但し、本開示はこのようなアクトまたはイベントの例示された順序によって限定されないことを理解されたい。本開示に従って、一部のステップ（工程）は、本明細書において例示および記載された順序とは別の異なる順序で、および／または、他のステップと同時に実行されうるためである。さらに、本開示に係る方法を実施するために、例示されたすべてのステップが必要とされるわけではない。また、これらの方法は、本明細書において例示および記載されたシステムに関連して実行されてもよいし、あるいは例示されていない他のシステムに関連して実行されてもよい。
【００５４】
一例として、図６に示す方法３００は、サーマルチャック上に配置されたワークピースの温度を制御する。例えば、アクト３０２では、ワークピースは、サーマルチャックのクランプ表面上に選択的に保持される。アクト３０４では、サーマルチャックに関連する１つ以上のヒータを選択的に通電することによって、サーマルチャックのクランプ表面が選択的に加熱される。これにより、ワークピースの１つ以上の位置が選択的に加熱される。アクト３０６では、サーマルモニタリングデバイスを用いて、ワークピースがサーマルチャックのクランプ表面上に存在している場合における、ワークピースの表面の温度が決定される。これにより、測定温度が規定される。ワークピースの温度は、（ｉ）ワークピースの表面を温度測定デバイスに直接的に接触させることによって、または、（ｉｉ）非接触サーマルデバイスによってワークピースの放射率または温度を測定することによって、決定されてよい。あるいは、ワークピースの温度は、両者の組み合わせによって、決定されてもよい。アクト３０８では、測定温度に基づいて、１つ以上のヒータが選択的に通電させられる。これにより、ワークピース自体の精密かつ正確な温度制御が有利に実現される。
【００５５】
別の態様に基づき、上述の方法は、コントローラ、汎用コンピュータ、またはプロセッサベースシステムのうちの１つ以上において、コンピュータプログラムコードを使用して実行されてよい。図７に示すように、別の実施形態に係るプロセッサベースシステム４００のブロック図が提供されている。プロセッサベースシステム４００は、汎用コンピュータプラットフォームであり、本明細書において説明されている処理を実行するために使用されてよい。プロセッサベースシステム４００は、処理ユニット４０２（例：デスクトップコンピュータ、ワークステーション、ラップトップコンピュータ、または特定のアプリケーション用にカスタマイズされた専用ユニット）を含んでいてもよい。プロセッサベースシステム４００には、（ｉ）ディスプレイ４０４と、（ｉｉ）１つ以上の入出力装置４０６（例：マウス、キーボード、プリンタ）とが、設けられていてもよい。処理ユニット４０２は、（ｉ）中央処理ユニット（ＣＰＵ）４０８、（ｉｉ）メモリ４１０、（ｉｉｉ）マスストレージデバイス４１２、（ｉｖ）ビデオアダプタ４１４、および、（ｖ）バス４１８に接続されたＩ／Ｏインターフェース（入出力インターフェース）４１６を、含んでいてもよい。
【００５６】
バス４１８は、メモリバス、メモリコントローラ、ペリフェラルバス（周辺装置バス）、またはビデオバスを含む、複数のバスアーキテクチャのうちの任意の１つ以上のタイプであってよい。ＣＰＵ４０８は、任意のタイプの電子データプロセッサを含みうる。メモリ４１０は、スタティックランダムアクセスメモリ（静的ランダムアクセスメモリ）（ＳＲＡＭ）、ダイナミックランダムアクセスメモリ（動的ランダムアクセスメモリ）（ＤＲＡＭ）、またはリードオンリーメモリ（読み出し専用メモリ）（ＲＯＭ）などの、任意のタイプのシステムメモリを含んでいてもよい。
【００５７】
マスストレージデバイス４１２は、（ｉ）データ、プログラム、および他の情報を記憶し、かつ、（ｉｉ）当該データ、当該プログラム、および当該他の情報を、バス４１８を介してアクセス可能とするように構成された、任意のタイプのストレージデバイスを含んでいてもよい。例えば、マスストレージデバイス４１２は、ハードディスクドライブ、磁気ディスクドライブ、または光ディスクドライブのうちの１つ以上を含んでいてもよい。
【００５８】
ビデオアダプタ４１４およびＩ／Ｏインターフェース４１６は、外部入出力装置を処理ユニット４０２に接続するためのインターフェースを提供する。入出力装置の例は、（ｉ）ビデオアダプタ４１４に接続されたディスプレイ４０４、および、（ｉｉ）Ｉ／Ｏインターフェース４１６に結合されたＩ／Ｏコンポーネント（入出力コンポーネント）４０６（例：マウス、キーボード、プリンタ等）を含んでいる。他のデバイスが、処理ユニット４０２に接続されてもよい。付加的なまたはより少数のインターフェースカードが使用されてもよい。例えば、シリアルインターフェースカード（不図示）を使用して、プリンタのシリアルインターフェースが提供されてもよい。また、処理ユニット４０２は、ネットワークインターフェース４２０を含んでいてもよい。ネットワークインターフェース４２０は、ローカルエリアネットワーク（ＬＡＮ）またはワイドエリアネットワーク（ＷＡＮ）４２２への有線リンクまたは無線リンクである。
【００５９】
プロセッサベースシステム４００は、他のコンポーネントを含んでもよいことに留意されたい。例えば、プロセッサベースシステム４００は、電源、ケーブル、マザーボード、リムーバブルストレージメディア（取り外し可能なストレージメディア）、ケースなどを含んでいてもよい。これらの他のコンポーネントは図示されていないが、プロセッサベースのシステム４００の一部であると考慮されている。
【００６０】
本開示の実施形態は、例えばＣＰＵ４０８によって実行されるプログラムコードによって、プロセッサベースシステム４００に実装されてもよい。また、上述した実施形態に係る様々な方法は、プログラムコードによって実装されてもよい。従って、ここでの明示的な説明は省略する。
【００６１】
さらに、図１〜図５における様々なモジュールおよびデバイスは、図７の１つ以上のプロセッサベースシステム４００に実装され、かつ、当該プロセッサベースシステム４００によって制御されてよいことに留意されたい。異なるモジュールとデバイスとの間の通信は、モジュールがどのように実装されるかに応じて変更されうる。モジュールが１つのプロセッサベースシステム４００に実装されている場合、ＣＰＵ４０８による異なるステップのためのプログラムコードの実行の合間に、メモリ４１０またはマスストレージデバイス４１２にデータが保存されてよい。次いで、当該データは、各ステップの実行中に、バス４１８を介してメモリ４１０またはマスストレージデバイス４１２にアクセスするＣＰＵ４０８によって提供されてもよい。モジュールが異なるプロセッサベースシステム４００に実装されている場合、または別のストレージシステム（例：個別のデータベース）からデータが提供される場合には、Ｉ／Ｏインターフェース４１６またはネットワークインターフェース４２０を介して、複数のシステム４００間にデータが提供されてよい。同様に、デバイスまたはステージによって提供されるデータは、Ｉ／Ｏインターフェース４１６またはネットワークインターフェース４２０によって、１つ以上のプロセッサベースシステム４００に入力されてもよい。当業者であれば、様々な実施形態の範囲内において考慮されているシステムおよび方法を実施する場合における、他の変形（変更）および修正を容易に理解するであろう。
【００６２】
そこで、以下により詳細に説明する通り、本開示は、熱処理を受けるワークピース（例：高温イオン注入を受ける図１のワークピース１１８）に対する正確な温度制御を提供する。温度センサまたはサーマルモニタリングデバイス１６０（例：パイロメータ、放射率センサ、ＴＣ、ＲＴＤ、または同様のデバイスのうちの１つ以上）は、ワークピース１１８の温度を監視し、かつ、サーマルチャック１３０（例えば、加熱プラテン）を制御するように、実装されている。これにより、処理または注入に伴い、ワークピースの温度をより精密かつ正確に制御できる。例えば、サーマルモニタリングデバイス１６０は、（ｉ）ワークピース１１８のリアルタイム温度監視を提供し、かつ、（ｉｉ）この情報を制御システム１４８、４００に供給することにより、サーマルチャック１３０の温度を動的に制御する。これにより、ワークピースの指定温度（特定の温度）を実現できる。
【００６３】
例えば、サーマルモニタリングデバイス１６０は、図５の例に示される非接触サーマルデバイス２２０（例：放射率センサ）を含んでいてもよい。この場合、センサは、ワークピースに対する処理全体を通じてワークピース１１８の放射率を正確に測定するために、図１のシステム１００に統合（一体化）されている。例えば、ワークピース１１８の放射率は、プロセス条件（例：注入プロセス条件）、ワークピースの材料組成、温度、および／またはワークピース上の任意のコーティングについての関数として変化しうる。例えば、本開示の放射率測定は、ワークピース１１８のより正確かつ安定した温度を維持できるように、他の温度測定に提供（フィード）するために利用されてもよい。（例えば、注入電流、背面ガス流、冷媒流、ヒータ電力などによって）ワークピース１１８の温度が変化した場合、温度センサは、制御システム１４８、４００を用いてそのような温度変化に応答（反応）するために利用されてもよい。
【００６４】
例えば、サーマルモニタリングデバイス１６０としてのパイロメータは、非接触式の温度測定および制御を提供するための閉ループシステムにおける制御フィードバックとして利用されてよい。パイロメータからの温度データは、サーマルチャック１３０の１つ以上のヒータ１３６への電力入力（パワー入力）を制御するために、制御システム１４８、４００にフィードバックされてもよい。この場合、制御は、ワークピース１１８の測定温度に基づいている。従って、ワークピース１１８の温度変化が測定された場合、そのような温度変化を補償するために、サーマルチャック１３０に関連する１つ以上のヒータ１３６のうちの様々なヒータが制御されてよい。このように、チャック単独の温度についての従来の測定とは対照的に、ワークピース１１８の実際の温度を利用することによって、正確なシステム制御が実現されうる。例えば、図５の非接触サーマルデバイス２２０としてのパイロメータは、サーマルチャック１３０と対向しない上流側（例：ワークピースの上面２２２）からワークピース１１８の温度を測定するように配置されていてもよい。あるいは、非接触サーマルデバイス２２０は、ワークピース１１８の背面２１４上に照準線（line-of-sight）が設けられるように、サーマルチャック１３０上に統合（一体化）されていてもよい。
【００６５】
例えば、ワークピース１１８に接触するサーマルモニタリングデバイス１６０（例：図４に例示されているＲＴＤおよび／またはサーモカップル）を利用する場合には、ワークピースの背面２１４を接触させることができる。但し、ワークピース１１８の上流側または頂部２２２が、ＲＴＤまたはＴＣによって接触されてもよい。あるいは、頂部２２２および背面２１４の両方が接触されてもよいと考慮されている。図５の非接触サーマルデバイス２２０（例：パイロメータまたは放射率センサ）は、図１のプロセスチャンバ１２２の側面（例：ワークピース１１８から１〜２フィート離れた位置）に取り付けられてよい。例えば、図４の直接接触サーマルデバイス２１２の場合、当該デバイスは著しく小さいセンサを含んでいる。このため、ワークピース１１８の背面２１４との接触は、上面２２２との接触に比べて好適でありうる。但し、いずれの配置も、本開示の範囲内に含まれると考慮されている。
【００６６】
ワークピース１１８の温度測定のための複数の位置が、さらに考慮されている。例えば、均一性（統一性）を目的として、ワークピースの周囲の複数の位置において、温度が監視されてよい（例えば、より良好な均一性を目的として、内側ゾーンおよび外側ゾーンが調整し制御されてよい）。従って、複数の位置に複数のサーマルモニタリングデバイス１６０を設けることは、均一性および温度精度を有利に向上させる。
【００６７】
さらに、冗長サーマルモニタリングデバイス１６０（例：冗長ＴＣ／ＲＴＤ）は、デバイスの潜在的な高い故障率に対処するために、各ゾーンに設けられてよい。複数の冗長ＴＣ／ＲＴＤを設けることによって、１つが故障した場合に、残りのＴＣ／ＲＴＤからの出力を互いに比較することができる。それゆえ、１次センサと２次（例：冗長）センサとの間において、大きい温度差が確認された場合、そのようなシナリオはＴＣまたはＲＴＤの故障として特定されうる。そして、システムは、ＴＣ／ＲＴＤの出力に整合させるように（１つ以上の）ヒータ１３６を駆動しようと試みるのではなく、「ホールド（停止）」モードに移行（placed）されうる。例えば、冗長性を目的として、冗長ＴＣ／ＲＴＤは、互いに近接して配置されてよい。そして、均一性を目的として、ＴＣ／ＲＴＤのペアは、サーマルチャック１３０の周囲の様々な位置に配置されてよい。例えば、冗長ＴＣ／ＲＴＤは、ＴＣ／ＲＴＤの「健全性（良好性）」（health）を評価するために、１次ＴＣ／ＲＴＤの隣に配置されてよい。一例として、均一性についての理解を提供するために、ＴＣ／ＲＴＤは、互いに対して１２０°〜１８０°に配置されてもよい。
【００６８】
例えば、図５に例示されている高温測定または非接触熱感知のために、ワークピース１１８は、温度測定に適した所定の位置へと移送されてもよい。例えば、非接触サーマルデバイス２２０（例：パイロメータ）は空間内に固定されていてもよい。その一方で、ワークピース１１８は、ワークピース移送装置２２４（例：モバイルアーム）に取り付けられたサーマルチャック１３０上に保持されていてもよい。この場合、ワークピース１１８を、異なる位置に移動させることができる。これにより、エッジ、中間、１２０°のオフセット等を捕捉（キャプチャ）し、ワークピースの温度の均一性についての十分な理解を得ることができる。別の例では、様々な角度位置を捕捉するために、ワークピースを回転させてもよい。一部の例では、パイロメータは、ワークピース平面に対して垂直であり、かつ、当該ワークピース平面にできるだけ近接している（例：ワークピース１１８から数インチ未満だけ離間している）ことが望ましいであろう。
【００６９】
本開示は、ワークピース１１８の測定温度に基づいて、１つ以上のヒータ１３６を有利に制御する。当該ヒータ１３６は、イオン注入に伴って制御されてよい。例えば、パイロメータは、図１のイオンビーム１１２のスキャン長（走査長）の頂部に向かうように、方向付けられてよい（例：ワークピース１１８は、イオンビームの前方（正面）において、特定のスキャンの頂部から底部へと移送させられる）。従って、例えば、パイロメータは、各スキャンの頂部において温度データを取得するように構成されてよい。あるいは、ワークピース１１８の側面（例：左または右）、中央、または他の領域における温度が、同様に測定されてもよい。
【００７０】
一例として、図４に例示されている直接接触サーマルデバイス２１２は、（ｉ）ワークピース１１８の背面２１４に関連付けられていてよく、かつ、（ｉｉ）サーマルチャック１３０に接続されていてもよい。この場合、注入の全体に亘り、連続的な温度監視を実現することができる。例えば、イオンビームパワー（イオンビーム電力）は、ワークピース１１８の温度を変化させうる（例えば、図１のイオンビーム１１２に由来するパワー／熱を付与することは、ワークピースの温度に影響を及ぼす）。従って、本開示は、ワークピースが載置されているサーマルチャック１３０の温度を単に測定するのではなく、イオンビーム１１２によって引き起こされるワークピース１１８の温度変化を捕捉し、ワークピースの温度を有利に測定する装置およびシステムを提供する。一般的に、サーマルチャック１３０の温度は、ワークピース１１８の温度からは分離されている（decoupled）。このため、本開示は、イオンビームパワーが熱をワークピースに付与する場合であっても、正確な温度制御を提供する。当該正確な温度制御は、サーマルチャックの温度のみを測定する従来の測定装置を使用した場合には、これまでは不可能であった。本開示は、有利であることに、ワークピース１１８の温度を監視する。これにより、ワークピース温度の変化は、注入中のサーマルチャック内の１つ以上のヒータ１３６への入力パワー（入力電力）の変化に対処されうる。
【００７１】
本開示の１つ以上の直接接触サーマルデバイス２１２は、ビーム衝突後すぐに、正確であり、かつほぼ即時的な測定データを提供する。１つ以上の直接非接触サーマルデバイス（direct non-contact thermal device）２２０は、例えばワークピース１１８がパイロメータによって監視されている（in view of the pyrometer）場合、上述のようなほぼ瞬時的な応答を同様に提供することができる。パイロメータによる温度監視を実現するために、例えば、各スロースキャンパス（低速走査経路）を利用して、上述の通り温度データが取得されてよい。この場合、これに応じてサーマルチャック１３０を調整して、温度を制御することができる。例えば、ワークピース１１８が図１のイオンビーム１１２を通過する回数が多いほど、ワークピースがイオンビームに暴露される時間が長くなり、温度のより大きい変化が生じうる。従って、イオンビーム１１２の正面において、ワークピース１１８の通過が１回のみである場合には、イオンビームの正面においてあまり時間が費やされないことに起因して、最小限の熱変化が生じるであろう。但し、ワークピース１１８がイオンビーム１１２を通過する回数が多いほど、より多くの温度データが取得され、温度が変化する可能性がより高くなり、温度を制御する機会がより多くなる。
【００７２】
そこで、本開示は、ワークピース１１８の温度のフィードバックに基づいて、サーマルチャック１３０内の１つ以上のヒータ１３６を制御する。例えば、加熱の制御は、背面ガス流とは無関係に、１つ以上のヒータを制御することによってさらに実現されてもよい。
従って、本開示は、ビームパワー、背面ガス流（背面ガスフロー）などに依存せずに、ワークピース１１８の温度を制御する場合に有益である。
【００７３】
（ｉ）ＴＣまたはＲＴＤなどの直接接触サーマルデバイス、および／または、（ｉｉ）放射率センサまたはパイロメータなどの非接触サーマルデバイスの利用について、具体的に説明されている。但し、ワークピース１１８の温度を直接的に測定するように構成された任意のタイプのセンサが、本開示の範囲内に含まれると考慮されている。
【００７４】
さらに別の例では、ワークピースがサーマルチャック１３０上に存在していない場合、図１のコントローラ１４８は、１つ以上のヒータ１３６に対する一定の電力を維持するように構成されてもよいと、本開示では考慮されている。そこで、例えば、上述の制御を提供するとともに、ワークピースの移送中にサーマルチャックの温度を維持できるように、放射率センサは、１つ以上の直接非接触サーマルデバイス２２０の１つとして、ワークピース１１８とサーマルチャック１３０との温度差（difference）を検出するように構成されていてもよい。
【００７５】
本開示は、１つ以上の特定の好適な実施形態に関して図示および説明されてきたが、本明細書および添付の図面を読んで理解すれば、同等の変更および修正が当業者に想起されることは明らかである。特に、上述のコンポーネント（アセンブリ、デバイス、回路など）によって実行される様々な機能に関して、そのようなコンポーネントを説明するために使用されるターム（「手段」への言及を含む）は、特に断りのない限り、本明細書において例示された本開示の実施形態において機能を実行する開示された構造と構造的に同等ではないにもかかわらず、説明されたコンポーネントの指定された機能を実行する（すなわち、機能的に同等である）任意のコンポーネントに対応することが意図されている。加えて、本開示の特定の構成は、複数の実施形態のうちの１つのみに関して開示されているが、そのような構成は任意の所与または特定のアプリケーション（用途）に対して所望され、かつ有利であり得るように、他の実施形態の１つ以上の他の構成と組み合わせられてもよい。
【図面の簡単な説明】
【００７６】
【図１】本開示の一態様に係る例示的な加熱イオン注入システムのブロック図を示す。
【図２】本開示の一態様に係るサーマルチャックのクランプ表面の頂部の斜視図である。
【図３】本開示の一態様に係るサーマルチャックの底部の斜視図である。
【図４】本開示の一態様に係るサーマルチャックの部分断面図である。
【図５】本開示の別の態様に係る別のサーマルチャックの部分断面図である。
【図６】本開示の別の態様に係るワークピースの温度制御のための例示的な方法を示すブロック図である。
【図７】別の態様に係る例示的な制御システムを示すブロック図である。
【図１】
2021518051.tif 000003
【図２】
2021518051.tif 000004
【図３】
2021518051.tif 000005
【図４】
2021518051.tif 000006
【図５】
2021518051.tif 000007
【図６】
2021518051.tif 000008
【図７】
2021518051.tif 000009
【国際調査報告】
2021518051.tif 000010
2021518051.tif 000011